(57)【要約】【課題】本発明はラックに組み込まれ引き出された状態で操作されるコンソールドロア装置に関し、マウスを備えた構成であって１Ｕの高さ寸法を実現することを課題とする。【解決手段】ガイドフレームユニット４０と、液晶パネル５０と、スライドユニット６０と、キーボードユニット７０と、通常のマウス８０とを有する。キーボードユニット６０及びマウス７０は、液晶パネル５０よりもＹ１側にずれて位置しており、液晶パネル５０とマウス７０とは重なりあってはいず、コンソールドロア装置３０の高さＨ３は１Ｕである。キーボードユニット６０は、立ち上げた液晶パネル５０の下側を潜り抜けて液晶パネル５０よりもＹ２側に引き出される。【選択図】        図４
2004355205.tif 000002
【特許請求の範囲】
【請求項１】
両側のガイドレールの間に表示パネル及びキーボードユニットがスライド可能に設けてある構成であり、該ガイドレールの端をラックのサポート柱に固定されて該ラック内に取り付けられるコンソールドロア装置であって、
上記表示パネルは、引き出されて立ち上げられた状態で、下側に出入り口が形成される構成であり、
上記キーボードユニットは、支持板と、該支持板上のキーボードと、該支持板に載っているマウスとを有する構成であり、
該キーボードユニットは、通常は上記表示パネルよりも奥側に配置してあり、上記出入り口を通して、立ち上げられた表示パネルよりも手前側に引き出されるように構成したことを特徴とするコンソールドロア装置。
【請求項２】
請求項１に記載のコンソールドロア装置において、
上記キーボードユニットは、上記支持板に展開可能に支持してあり、折り畳まれた状態で上記キーボード及びマウスの上を覆う板部材を更に有する構成であり、
該キーボードユニットが、立ち上げられた表示パネルよりも手前側に引き出された状態で、上記板部材が展開されて、上記支持板よりも手前側に張り出す構成したことを特徴とするコンソールドロア装置。
【請求項３】
請求項２に記載のコンソールドロア装置において、
上記板部材を展開させることによって動作して、上記立ち上げられている表示パネルが手前側に倒されることを制限するロック機構を更に有する構成としたことを特徴とするコンソールドロア装置。
【請求項４】
請求項１に記載のコンソールドロア装置において、
上記キーボードユニットは、上記支持板にスライド可能に支持してあり、上記キーボード及びマウスの上を覆う板部材を更に有する構成であり、
該キーボードユニットが、立ち上げられた表示パネルよりも手前側に引き出された状態で、上記板部材がスライドされて移動されて、上記支持板よりも手前側に張り出す構成したことを特徴とするコンソールドロア装置。
【請求項５】
請求項１に記載のコンソールドロア装置において、
上記キーボードユニットは、上記マウスが載っているマウスパッド及び該マウスパッドを上記支持板に回動可能に支持するマウスパッド回動支持機構とを更に有し、該マウスパッドは通常は前記キーボードより奥側に位置している構成であり、
該キーボードユニットが立ち上げられた表示パネルよりも手前側に配置された状態で、上記マウスパッドが回動されて、該マウスパッドは上記キーボードを横切って該キーボードよりも手前側に到る構成したことを特徴とするコンソールドロア装置。
【請求項６】
請求項５に記載のコンソールドロア装置において、
上記マウスパッド回動支持機構は、上記マウスパッドが回動される途中で、該マウスパッドを上方に移動させるカムを有する構成としたことを特徴とするコンソールドロア装置。
【請求項７】
ガイドレールの端をサポート柱に固定してなる架枠装置において、
該ガイドレールは、その端に、テーパ部を有する係止部及び雌ねじ部を有する構成であり、
取付けねじを上記雌ねじ部に螺合させて締めることによって、上記係止部がそのテーパ部を上記サポート柱の開口の縁に案内されつつ該開口内に嵌合され、上記ガイドレールの端が位置決めされて該サポート柱に固定される構成としたことを特徴とする架枠装置。
【発明の詳細な説明】
【０００１】
【発明の属する技術分野】
本発明はコンソールドロア装置及び架枠装置に係り、特にラックに複数のサーバユニットと共に組み込まれてサーバ装置の一部を構成し、引き出された状態で操作されて複数のサーバを制御するコンソールドロア装置及び架枠装置に関する。
【０００２】
【従来の技術】
図１は従来の１例のコンソールドロア装置１０を示す。コンソールドロア装置１０は、ベース１１に液晶パネル１２が回動して起立するように設けてあり、ベース１１に、キーボード１３と平面マウス１４とが設けてある構成である。図１（Ａ）はラック内に収まっている状態、同図（Ｂ）はラックより引き出した状態、同図（Ｃ）は液晶パネル１２を起立させた使用時の状態を示す。
【０００３】
また、図２は従来の別の例のコンソールドロア装置２０を示す。コンソールドロア装置２０は通常のマウス２１を使用するタイプであり、ベース２２に液晶パネル２３が回動して起立するように設けてあり、ベース２２にキーボード２４が設けてあり、液晶パネル２３が水平とされている状態でキーボード２４及びマウス２１の上側に位置している。
【０００４】
【特許文献】
特開２０００−２９５６５号公報
【０００５】
【発明が解決しようとする課題】
図１のコンソールドロア装置１０は、高さＨ１が１Ｕ（約４４ｍｍ）と薄型ではあるけれども、マウスが平面マウス１４であるため、通常のマウスに比べて操作がし難いといる問題があった。
【０００６】
図２のコンソールドロア装置２０は、通常のマウス２１を使用するため操作はし易いけれども、液晶パネル２３と通常のマウス２１とが重なっている構造であるため、高さＨ２が２Ｕ（約８８ｍｍ）となり、ラック内に占める空間が広くなって、スペース効率の点で問題があった。
【０００７】
そこで、本発明は、上記課題を解決したコンソールドロア装置及び架枠装置を提供することを目的とする。
【０００８】
【課題を解決するための手段】
請求項１の発明は、両側のガイドレールの間に表示パネル及びキーボードユニットがスライド可能に設けてある構成であり、該ガイドレールの端をラックのサポート柱に固定されて該ラック内に取り付けられるコンソールドロア装置であって、
上記表示パネルは、引き出されて立ち上げられた状態で、下側に出入り口が形成される構成であり、
上記キーボードユニットは、支持板と、該支持板上のキーボードと、該支持板に載っているマウスとを有する構成であり、
該キーボードユニットは、通常は上記表示パネルよりも奥側に配置してあり、上記出入り口を通して、立ち上げられた表示パネルよりも手前側に引き出されるように構成したものである。
【０００９】
表示パネルとマウスとはずれており、重なっていないため、マウスを備えた構成であって高さ寸法が１Ｕであるコンソールドロア装置を実現することが可能となる。
【００１０】
請求項２の発明は、請求項１に記載のコンソールドロア装置において、
上記キーボードユニットは、上記支持板に展開可能に支持してあり、折り畳まれた状態で上記キーボード及びマウスの上を覆う板部材を更に有する構成であり、
該キーボードユニットが、立ち上げられた表示パネルよりも手前側に引き出された状態で、上記板部材が展開されて、上記支持板よりも手前側に張り出す構成したものである。
【００１１】
板部材が支持板よりも手前側に張り出すことによって、マウスパッド及びパームレストとして利用可能となる。
【００１２】
請求項３の発明は、請求項２に記載のコンソールドロア装置において、
上記板部材を展開させることによって動作して、上記立ち上げられている表示パネルが手前側に倒されることを制限するロック機構を更に有する構成としたものである。
【００１３】
表示パネルが無用に手前側に倒されてマウスに衝突して、表示部を傷つけてしまう事故が防止出来る。
【００１４】
請求項４の発明は、請求項１に記載のコンソールドロア装置において、
上記キーボードユニットは、上記支持板にスライド可能に支持してあり、上記キーボード及びマウスの上を覆う板部材を更に有する構成であり、
該キーボードユニットが、立ち上げられた表示パネルよりも手前側に引き出された状態で、上記板部材がスライドされて移動されて、上記支持板よりも手前側に張り出す構成したものである。
【００１５】
板部材が支持板よりも手前側に張り出すことによって、マウスパッド及びパームレストとして利用可能となる。
【００１６】
請求項５の発明は、請求項１に記載のコンソールドロア装置において、
上記キーボードユニットは、上記マウスが載っているマウスパッド及び該マウスパッドを上記支持板に回動可能に支持するマウスパッド回動支持機構とを更に有し、該マウスパッドは通常は前記キーボードより奥側に位置している構成であり、
該キーボードユニットが立ち上げられた表示パネルよりも手前側に配置された状態で、上記マウスパッドが回動されて、該マウスパッドは上記キーボードを横切って該キーボードよりも手前側に到る構成したものである。
【００１７】
マウスパッドが回動されて移動されてキーボードよりも手前側に到ることによって、マウスパッドが利用可能となる。
【００１８】
請求項６の発明は、請求項５に記載のコンソールドロア装置において、
上記マウスパッド回動支持機構は、上記マウスパッドが回動される途中で、該マウスパッドを上方に移動させるカムを有する構成としたものである。
【００１９】
マウスパッドが上方に移動されることによって、マウスパッドがキーボードの上方を移動するようになり、移動するマウスパッドがキーボードと干渉しないようになる。
【００２０】
請求項７の発明は、ガイドレールの端をサポート柱に固定してなる架枠装置において、
該ガイドレールは、その端に、テーパ部を有する係止部及び雌ねじ部を有する構成であり、
取付けねじを上記雌ねじ部に螺合させて締めることによって、上記係止部がそのテーパ部を上記サポート柱の開口の縁に案内されつつ該開口内に嵌合され、上記ガイドレールの端が位置決めされて該サポート柱に固定される構成としたものである。
【００２１】
取付けねじを締める操作によってガイドレールの端を位置決めしてサポート柱に固定することが可能となる。
【００２２】
【発明の実施の形態】
図３乃至図６は本発明の第１実施例になるコンソールドロア装置３０を示す。Ｘ１−Ｘ２は幅方向、Ｙ１−Ｙ２は奥行き方向、Ｚ１―Ｚ２は高さ方向である。コンソールドロア装置３０は、図３に示すように、スイッチユニット３１、複数のサーバユニット３２と共にラック３３内に組み込まれて使用され、サーバ装置３４の一部を構成する。Ｙ１はラック３３及びサーバ装置３４の奥側であり、Ｙ２はサーバ装置３４の前側である。
【００２３】
コンソールドロア装置３０は、図４に分解して示すように、ガイドフレームユニット４０と、液晶パネル５０と、スライドユニット６０と、キーボードユニット７０とを有する。キーボードユニット７０は通常のマウス８０を備えている。図３及び図５に示すように、キーボードユニット７０及びマウス８０は、液晶パネル５０よりもＹ１側にずれて位置しており、液晶パネル５０とマウス８０とは重なりあってはいず、コンソールドロア装置３０の高さＨ３は１Ｕ（約４２ｍｍ）と薄型である。キーボードユニット７０は、後述するように、立ち上げた液晶パネル５０の下側を潜り抜けて液晶パネル５０よりもＹ２側に引き出されるように構成してあり、更に、板部材７５が展開されてキーボード７２よりもＹ２側に配置されるようになっている。
【００２４】
図４に示すように、ガイドフレームユニット４０は、Ｙ１側のベース部４１と、ベース部４１の両側に固定してありＹ２方向に延在しているガイドフレーム４２Ｒ、４２Ｌとよりなる。ガイドフレーム４２Ｒ、４２Ｌは内側にガイドレール部４２Ｒａ、４２Ｌａを有する。ガイドフレーム４２Ｒ、４２Ｌの間に、空間４３を有する。
【００２５】
スライドユニット６０は、板金をプレス成形してなる部材であり、ガイドレール部４２Ｒａ、４２Ｌａに嵌合しているガイド腕６１Ｒ、６１Ｌと、この間を連結する橋渡し板６２と、折り曲げて形成してある係止部６３Ｒ、６３Ｌとよりなる。スライドユニット６０は、ガイドフレーム４２Ｒ、４２Ｌを跨いで支持されて空間４３内に収まっており、Ｙ１−Ｙ２方向に移動可能である。
【００２６】
キーボードユニット７０は、支持板７１と、支持板７１上のキーボード７２と、キーボード７２のＸ１側で支持板７１に載っている通常のマウス８０と、板部材７５とよりなる構成である。支持板７１はＸ１、Ｘ２方向に張り出した張り出し部７１ａＲ，７１ａＬを有する。板部材７５は、支持板７１のＹ１側のＸ１、Ｘ２の端にピン７６によって回動可能に支持されており、折り畳まれてキーボード７２及びマウス８０の上を覆っている。キーボードユニット７０は、張り出し部７１ａＲ，７１ａＬをガイドレール部４２Ｒａ、４２Ｌａに嵌合してガイドフレーム４２Ｒ、４２Ｌを跨いで支持されて空間４３内に収まっており、Ｙ１−Ｙ２方向に移動可能である。支持板７１及び板部材７５は両側に立ち上げて形成してある側板部７１ｂ，７５ａを有する。マウス８０はワイヤレス型であり、赤外線を発する構造である。
【００２７】
液晶パネル５０は、Ｙ１端の両側をガイド腕６１Ｒ、６１ＬのＹ２端にピン５１によって回動可能に連結してあり、回動して起立可能である。通常は、図３乃至図５に示す水平の姿勢にあり、両側をガイドレール部４２Ｒａ、４２Ｌａに嵌合されており、空間４３内に収まっている。液晶パネル５０のＹ１側の端の辺に沿って、切欠部５２が形成してある。切欠部５２は、後述するように液晶パネル５０を起立させた状態で、キーボードユニット６０が潜り抜けて出入りする出入口２００を形成する。液晶パネル５０の腕部５３の内側には後述するロックピン機構９０が設けてある。また、液晶パネル５０には、赤外線受光部１００が設けてある。マウス８０が無線を発するタイプである場合には、赤外線受光部１００に代えて、無線受信部が設けられる。
【００２８】
上記構成のコンソールドロア装置３０は、ガイドフレーム４２Ｒ、４２Ｌの両端をラック３３の四隅のサポート柱３５−１〜３５−４に固定されてラック３３に取り付けてある。
【００２９】
次に、コンソールドロア装置３０を使用状態とする操作及び動作について説明する。
【００３０】
操作者は取っ手５４を握ってＹ２方向に引く。この操作によって図６（Ａ）に示すように液晶パネル５０がラック３３の前側にストッパ（図示せず）に係止される位置まで引き出され、スライドユニット６０がＹ２方向に移動され、キーボードユニット７０も係止部６３Ｒ、６３Ｌによって押されてＹ２方向に移動される。
【００３１】
次いで、操作者は取っ手５４をＺ１方向に引き上げる。この操作によって図６（Ｂ）に示すように液晶パネル５０がＡ１方向にストッパ（図示せず）に係止される状態まで約１１０度回動されて起立され、表示面５０ａがＹ１側を向く。
【００３２】
次いで、操作者はキーボードユニット７０をＹ２方向に引く。この操作によって図６（Ｃ）に示すようにキーボードユニット７０が出入口２００を通してＹ２方向に引き出される。
【００３３】
最後に、操作者は板部材７５を図７（Ｂ）中二点鎖線で示すようにＢ２方向に回動させる。この操作によって図７（Ａ）、（Ｂ）に示すように板部材７５が展開されて、支持板７１よりＹ２側に張り出した状態となる。キーボード７２は液晶パネル５０のＹ２側に位置して露出する。
【００３４】
操作者は、板部材７５をパームレスト及びマウスパッドとして使用して、キーボード７２及びマウス８０を操作する。マウス８０の操作情報は、赤外線受光部１００によって受信される。
【００３５】
使用を終了した後は、各部品を上記とは逆の順序で且つ逆の方向に操作する。即ち、板部材７５をＢ１方向に回動させて畳んで、キーボードユニット７０をＹ１方向に押し込み、液晶パネル５０をＡ２方向に回動させて寝かせ、液晶パネル５０をＹ１方向に押し込む。これによって、液晶パネル５０とスライドユニット６０とキーボードユニット７０とは、図３及び図５に示すように、空間４３内に収まる。
【００３６】
図７に示すように板部材７５が展開されると、ロックピン機構９０は、図８（Ａ）に示すように、ロックピン９１がコイルばね９２によってＸ２方向に突き出し、ロックピン９１が支持板７１の側板部７１ｂに係止されて、液晶パネル５０はＡ２方向へ回動してＹ２方向に倒れることが制限される。これによって、液晶パネル５０の液晶表示部５０ａがマウス８０に当って壊れる事故は起きない。板部材７５が畳まれると、図８（Ｂ）に示すように、ロックピン９１が押し込まれてへこんで、液晶パネル５０はＡ２方向に回動されて寝かせられる。
【００３７】
図９は本発明の第２実施例になるコンソールドロア装置３０Ａを示す。このコンソールドロア装置３０Ａは、キーボードユニット７０Ａを除いて、前記のコンソールドロア装置３０の構成と同じである。キーボードユニット７０Ａは、板部材７５Ａを支持する構造が、前記のキーボードユニット７０とは相違する。
【００３８】
板部材７５Ａは、両側の突起（図示せず）を支持板７１の両側の側板部７１ｂの溝７１ｃにＹ１−Ｙ２方向にスライド可能に支持されている。通常は、板部材７５Ａは、図９（Ａ）に示すように、Ｙ１方向にスライドしておりキーボード７２を覆っている。板部材７５Ａは、図９（Ｂ）に示すように、Ｙ２方向に引かれてスライドされて、最終的には、図９（Ｃ）に示すように、支持板７１よりＹ２側に張り出した状態となる。
【００３９】
図１０（Ａ），（Ｂ）は本発明の第３実施例になるコンソールドロア装置３０Ｂを示す。このコンソールドロア装置３０Ｂは、キーボードユニット７０Ｂを除いて、前記のコンソールドロア装置３０の構成と同じである。キーボードユニット７０Ｂは、板部材７５に代えて、マウスパッド１１４及びマウスパッド回動支持機構１１０を有する。
【００４０】
マウスパッド回動支持機構１１０は、図１３（Ａ）、（Ｂ）に示すように、支持板７１Ｂ上に固定してあるカム軸部材１１１と、カム軸部材１１１に嵌合してある軸受部材１１２と、軸受部材１１２から延びている腕部１１３とよりなる。腕部１１３の先端にマウスパッド１１４を有する。カム軸部材１１１は、キーボード７２よりＹ１側に配置してあり、軸部１１１ａとカム１１１ｂとを有する。軸受部材１１２は、軸部１１１ａに回動可能に且つ軸方向（Ｚ１−Ｚ２方向）に摺動可能に嵌合してあり、Ｚ２方向に突き出た突起部１１２ａを有する。カム軸部材１１１と軸受部材１１２との間には引張りコイルばね１１５が組み込んであり、カム軸部材１１１はＺ２方向に付勢されている。
【００４１】
図１０（Ａ），（Ｂ）に示すように、腕部１１３及びマウスパッド１１４はＣ１方向に回動されており、マウスパッド１１４はキーボード７２よりＹ１側に位置しており、水平状態の液晶パネル５０に対しては、一部が切欠部５２内に入り込んで液晶パネル５０よりＹ１側に位置している。マウスパッド１１４上にマウス８０が置かれている。液晶パネル５０はキーボード７２上を覆っている。液晶パネル５０とマウス８０とは、Ｙ１−Ｙ２方向上ずれており、コンソールドロア装置３０Ｂの高さＨ４は１Ｕである。
【００４２】
次に、上記構成のコンソールドロア装置３０Ｂを使用状態とする操作及び動作について説明する。
【００４３】
先ず、操作者は前記と同じく取っ手５４を握ってＹ２方向に引き、次いでＺ１方向に引き上げる。この操作によって図１１に示すように液晶パネル５０が引き出されて起立され、キーボード７２が引き出され、マウスパッド回動支持機構１１０の腕部１１３が出入口２００に位置する状態となる。
【００４４】
次いで、操作者は指先で腕部１１３を掴んで手前（Ｙ２方向）に引いて、Ｃ２方向に約９０度回動させる。この操作によって図１２に示すようにマウスパッド１１４はキーボード７２よりＹ２側に位置するようになり、マウス８０はマウスパッド１１４上で操作可能となる。なお、マウスパッド１１４は支持板７１Ｂ上に位置している。
【００４５】
腕部１１３がＣ２方向に約９０度回動される過程で、突起部１１２ａがカム部１１１ｂを乗り越えることによって、腕部１１３及びマウスパッド１１４は、図１２（Ａ）中軌跡１１６で示すように、Ｚ１方向に上昇され、キーボード７２の上方を越えて、キーボード７２と干渉せずに移動される。
【００４６】
使用を終了した後は、各部品を上記とは逆の順序で且つ逆の方向に操作する。即ち、腕部１１３及びマウスパッド１１４をＣ１方向に回動させて、マウス８０を出入口２００内に収め、液晶パネル５０をＡ２方向に回動させて寝かせ、液晶パネル５０をＹ１方向に押し込む。これによって、コンソールドロア装置３０Ｂは図１０（Ａ），（Ｂ）に示す元の状態となる。
【００４７】
次に、上記コンソールドロア装置３０、３０Ａ、３０Ｂをラック３３に取り付けて固定する部分の構造について説明する。
【００４８】
上記構成のコンソールドロア装置３０は、図３及び図１４に示すように、ガイドフレーム４２Ｒ、４２Ｌの両端をラック３３の四隅のサポート柱３５−１〜３５−４に固定されてラック３３に取り付けてある。サポート柱３５−１〜３５−４には、固定のための正方形の穴３６が複数個等ピッチｐ１で並んでいる。
【００４９】
ガイドフレーム４２Ｒ、４２Ｌは、夫々ガイドレール部４２Ｒ１ａ、４２Ｌ１ａを有するＹ２側の第１のガイドフレーム４２Ｒ１、４２Ｌ１と、ガイドレール部を有しないＹ１側の第２のガイドフレーム４２Ｒ２、４２Ｌ２とが、長い孔４３とねじ４４とによって連結してあり、長さが調整できる構造である。
【００５０】
ガイドフレーム４２ＲのＹ２方向の端は、図１５及び図１６（Ａ）に示すように、固定用部品１２０が、第１のガイドフレーム４２Ｒ１の端のＸ１方向に折り曲げてあるフランジ部１３０に固定してある構造である。固定用部品１２０は、中央の係止用突起１２１と、Ｚ１、Ｚ２側の位置出し用突起１２２，１２３とを有する。位置出し用突起１２２、係止用突起１２１、位置出し用突起１２３は、サポート柱３５−１の穴３６と同じくピッチｐ１で並んでいる。フランジ部１３０にはＺ１、Ｚ２側に雌ねじ部１３１，１３２が形成してある。位置出し用突起１２２，１２３と雌ねじ部１３１，１３２とは一致している。
【００５１】
位置出し用突起１２２，１２３は、四角錐形状であり、周囲にテーパ状の側面１２２ａ，１２３ａを有し、且つ、中央に貫通穴１２２ｂ，１２３ｂを有する。
【００５２】
ガイドフレーム４２ＲのＹ２方向の端のサポート柱３５−１への固定は、図１６（Ａ）に示すように、係止用突起１２１をサポート柱３５−１の一つの穴３６−ｎに係止させて仮り止めし、この状態で、取付けねじ１４１を穴３６−（ｎ−１）を通し位置出し用突起１２２の貫通穴１２２ｂを通して雌ねじ部１３１にねじ込み、取付けねじ１４２を穴３６−（ｎ＋１）を通し位置出し用突起１２３の貫通穴１２３ｂを通して雌ねじ部１３２にねじ込むことによってなされる。
【００５３】
取付けねじ１４１，１４２をねじ込むと、図１６（Ｂ）に示すように、固定用部品１２０がＹ２方向に引き寄せられ、位置出し用突起１２２，１２３が夫々穴３６−（ｎ−１）、３６−（ｎ＋１）内に嵌合し始め、側面１２２ａ，１２３ａが穴３６−（ｎ−１）、３６−（ｎ＋１）の縁に案内されて、位置出し用突起１２２，１２３の各中心が夫々穴３６−（ｎ−１）、３６−（ｎ＋１）の中心と一致する方向に変位する。
【００５４】
取付けねじ１４１，１４２を完全に締めた状態では、図１６（Ｃ）に示すように、位置出し用突起１２２，１２３が夫々穴３６−（ｎ−１）、３６−（ｎ＋１）に嵌合して、位置出し用突起１２２，１２３の各中心が夫々穴３６−（ｎ−１）、３６−（ｎ＋１）の中心と一致して精度良く位置決めされた状態で、ガイドフレーム４２ＲのＹ２方向の端がサポート柱３５−１へ固定される。
【００５５】
ガイドフレーム４２ＲのＹ１方向の端、ガイドフレーム４２ＬのＹ２方向及びＹ１方向の端も、上記と同じく、仮り止めした状態で取付けねじを締めることによってサポート柱３５−２、３５−３、３５−４へ精度良く位置決めされた状態で固定される。
【００５６】
これによって、コンソールドロア装置３０はラック３３に精度良く位置決めされた状態で取り付けられる。また、仮り止めした状態で取付けねじを締める作業をすればよいため、コンソールドロア装置３０をラック３３に取り付ける作業は一人の作業者で可能である。
【００５７】
また、取付けねじを弛めて外した状態で、係止用突起１２１が各サポート柱３５−１〜３５−４の穴３６を係止しているため、コンソールドロア装置３０をラック３３から取り外す作業も一人の作業者で可能である。
【００５８】
図１７はガイドフレーム４２ＲのＹ２方向の端をサポート柱３５−１に固定する別の構造を示す。
【００５９】
この構造は、図１５に示す構造とは、固定用部品１２０Ａが相違する。固定用部品１２０Ａは、中央の突起１２１Ａと、Ｚ１、Ｚ２側の突起１２２，１２３とを有する。突起１２１Ａは、係止用と位置出し用とを兼ね備えた形状であり、先端に係止部１２１Ａａを有し、根元側に位置出し部１２１Ａｂを有し、位置出し部１２１Ａｂは、テーパ部１２１Ａｂ１と四角柱部１２１Ａｂ２とよりなる。
【００６０】
ガイドフレーム４２ＲのＹ２方向の端のサポート柱３５−１への固定は、図１８（Ａ）に示すように、突起１２１Ａの係止部１２１Ａａをサポート柱３５−１の一つの穴３６−ｎに係止させて仮り止めし、この状態で、取付けねじ１３１を穴３６−（ｎ−１）を通し突起１２２の貫通穴１２２ｂを通して雌ねじ部１３１にねじ込み、取付けねじ１３２を穴３６−（ｎ＋１）を通し位置出し用突起１２３の貫通穴１２３ｂを通して雌ねじ部１３２にねじ込むことによってなされる。
【００６１】
取付けねじ１４１，１４２をねじ込むと、図１８（Ｂ）に示すように、固定用部品１２０がＹ２方向に引き寄せられ、テーパ部１２１Ａｂ１が穴３６−ｎの縁に案内されて、突起１２２，１２３の各中心が夫々穴３６−（ｎ−１）、３６−（ｎ＋１）の中心と一致する方向に変位する。
【００６２】
取付けねじ１４１，１４２を完全に締めた状態では、図１８（Ｃ）に示すように、四角柱部１２１Ａｂ２が穴３６−ｎに嵌合し、突起１２２，１２３が夫々穴３６−（ｎ−１）、３６−（ｎ＋１）に嵌合して、位置決めされた状態で、ガイドフレーム４２ＲのＹ２方向の端がサポート柱３５−１へ固定される。
【００６３】
ガイドフレーム４２ＲのＹ１方向の端、ガイドフレーム４２ＬのＹ２方向及びＹ１方向の端も、上記と同じく、仮り止めした状態で取付けねじを締めることによってサポート柱３５−２、３５−３、３５−４へ位置決めされた状態で固定される。この固定構造は、前記の図１５に示す固定構造と同様の効果を有する。
【００６４】
【発明の効果】
以上説明したように、請求項１に係る発明は、表示パネルは、引き出されて立ち上げられた状態で、下側に出入り口が形成される構成であり、キーボードユニットは、支持板と、支持板上のキーボードと、支持板に載っているマウスとを有する構成であり、このキーボードユニットは、通常は表示パネルよりも奥側に配置してある構成であるため、表示パネルとマウスとはずれており重なっていないため、マウスを備えた構成であって高さ寸法が１Ｕであるコンソールドロア装置を実現することが出来る。なお、キーボードユニットは立ち上げられた表示パネルの下側の出入り口を通して手前側に引き出されるため、正常に操作可能な状態に出来る。
【００６５】
請求項２の発明は、請求項１に記載のコンソールドロア装置において、キーボードユニットは、支持板に展開可能に支持してあり折り畳まれた状態でキーボード及びマウスの上を覆う板部材を更に有する構成であり、キーボードユニットが表示パネルよりも手前側に引き出された状態で、板部材が展開されて支持板よりも手前側に張り出す構成したものであるため、展開させる簡単な操作でもって板部材が支持板よりも手前側に張り出すように出来、この張り出した板部材をマウスパッド及びパームレストとして利用すること出来る。
【００６６】
請求項３の発明は、請求項２に記載のコンソールドロア装置において、板部材を展開させることによって動作して、立ち上げられている表示パネルが手前側に倒されることを制限するロック機構を更に有する構成としたものであるため、表示パネルが無用に手前側に倒されてマウスに衝突して、表示部を傷つけてしまう事故が防止出来る。
【００６７】
請求項４の発明は、請求項１に記載のコンソールドロア装置において、キーボードユニットは、支持板にスライド可能に支持してあり、キーボード及びマウスの上を覆う板部材を更に有する構成であり、キーボードユニットが、立ち上げられた表示パネルよりも手前側に引き出された状態で、板部材がスライドされて移動されて、支持板よりも手前側に張り出す構成したものであるため、引き出す簡単な操作でもって板部材が支持板よりも手前側に張り出すように出来、この張り出した板部材をマウスパッド及びパームレストとして利用すること出来る。
【００６８】
請求項５の発明は、請求項１に記載のコンソールドロア装置において、キーボードユニットは、マウスが載っているマウスパッド及びマウスパッドを支持板に回動可能に支持するマウスパッド回動支持機構とを更に有し、該マウスパッドは通常は前記キーボードより奥側に位置している構成であり、キーボードユニットが立ち上げられた表示パネルよりも手前側に配置された状態で、上記マウスパッドが回動されて、マウスパッドは上記キーボードを横切ってキーボードよりも手前側に到る構成したものであるため、マウスパッドを回動させる簡単な操作によってマウスパッドを利用可能に出来る。
【００６９】
請求項６の発明は、請求項５に記載のコンソールドロア装置において、マウスパッド回動支持機構は、マウスパッドが回動される途中で、マウスパッドを上方に移動させるカムを有する構成としたものであるため、マウスパッドがキーボードの上方を移動するようになり、移動するマウスパッドがキーボードと干渉しないように出来る。
【００７０】
請求項７の発明は、ガイドレールの端をサポート柱に固定してなる架枠装置において、ガイドレールは、その端に、テーパ部を有する係止部及び雌ねじ部を有する構成であり、取付けねじを上記雌ねじ部に螺合させて締めることによって、上記係止部がそのテーパ部を上記サポート柱の開口の縁に案内されつつ該開口内に嵌合され、上記ガイドレールの端が位置決めされて該サポート柱に固定される構成としたものであるため、取付けねじを締める操作によってガイドレールの端を位置決めしてサポート柱に固定することが出来る。
【図面の簡単な説明】
【図１】従来の１例のコンソールドロア装置の１例を示す図である。
【図２】従来の別の例のコンソールドロア装置を示す図である。
【図３】本発明の第１実施例になるコンソールドロア装置の斜視図である。
【図４】図３のコンソールドロア装置の分解斜視図である。
【図５】図３のコンソールドロア装置の側面図である。
【図６】図３のコンソールドロア装置を使用状態とする途中の状態を示す図である。
【図７】図３のコンソールドロア装置の使用状態を示す図である。
【図８】ロックピン機構を示す図である。
【図９】本発明の第２実施例になるコンソールドロア装置の斜視図である。
【図１０】本発明の第３実施例になるコンソールドロア装置を示す図である。
【図１１】図１０のコンソールドロア装置を使用状態とするときの途中の状態を示す図である。
【図１２】図１０のコンソールドロア装置の使用状態を示す図である。
【図１３】図１０中のマウスパッド回動支持機構を示す図である。
【図１４】ガイドフレームのサポート柱への固定構造を示す図である。
【図１５】図１４中、円１２０で囲んだ部分を拡大して示す図である。
【図１６】ガイドフレームの端をサポート柱へ固定する途中の状態及び固定した状態を示す図である。
【図１７】ガイドフレームのサポート柱への固定構造の別の例を示す図である。
【図１８】図１７の構造において、固定途中の状態及び固定した状態を示す図である。
【符号の説明】
３０、３０Ａ，３０Ｂ  コンソールドロア装置
３３  ラック
３５−１〜３５−４  サポート柱
３６  穴
４０  ガイドフレームユニット
４２Ｒ、４２Ｌ  ガイドフレーム
５０  液晶パネル
５２  切欠部
６０  スライドユニット
６１Ｒ、６１Ｌ  ガイド腕
７０、７０Ａ，７０Ｂ  キーボードユニット
７１  支持板
７２  キーボード
７５，７５Ａ  板部材
８０  マウス
９０  ロックピン機構
１００  赤外線受光部
１１０  マウスパッド回動支持機構
１１１  カム軸部材
１１１ａ  軸部
１１１ｂ  カム
１１２  軸受部材
１１２ａ  突起部
１１３  腕部
１１４  マウスパッド
１１５  引張りコイルばね
１２０、１２０Ａ  固定用部品
１２１  係止用突起
１２１Ａ  突起
１２１Ａａ  係止部
１２１Ａｂ  位置出し部
１２１Ａｂ１  テーパ部
１２１Ａｂ２  四角柱部
１２２，１２３  位置出し用突起
１２２ａ，１２３ａ  テーパ状の側面
１４１，１４２  取付けねじ
２００  出入口
【図１】
2004355205.tif 000003
【図２】
2004355205.tif 000004
【図３】
2004355205.tif 000005
【図４】
2004355205.tif 000006
【図５】
2004355205.tif 000007
【図６】
2004355205.tif 000008
【図７】
2004355205.tif 000009
【図８】
2004355205.tif 000010
【図９】
2004355205.tif 000011
【図１０】
2004355205.tif 000012
【図１１】
2004355205.tif 000013
【図１２】
2004355205.tif 000014
【図１３】
2004355205.tif 000015
【図１４】
2004355205.tif 000016
【図１５】
2004355205.tif 000017
【図１６】
2004355205.tif 000018
【図１７】
2004355205.tif 000019
【図１８】
2004355205.tif 000020